(57)【要約】【課題】組み付けを容易とし、かつ、局部洗浄ノズルの洗浄性を向上させる。【解決手段】衛生洗浄便座装置に用いられるノズルユニットは、上面が斜め下方に傾斜すると共に上面に前後に延在する凹条部が形成された下カバーと、下カバーの凹条部に載置され人体の局部に向かって洗浄水を噴出する局部洗浄ノズルと、下カバーに取り付けられ下カバーとにより局部洗浄ノズルを上下から挟んで局部洗浄ノズルの外周全体を覆う上カバーと、局部洗浄ノズルに洗浄水を噴出するノズル洗浄器と、を備える。局部洗浄ノズルは、凹条部に沿って前後に進退移動が可能な伸縮しない単段式のノズルであり、上カバーは、開口を有し、ノズル洗浄器は、上カバーに取り付けられ上カバーの開口を介して局部洗浄ノズルの外周面に洗浄水を噴出可能である。【選択図】図５
2019027008.tif 000002
【特許請求の範囲】
【請求項１】
衛生洗浄便座装置に用いられるノズルユニットであって、
上面が斜め下方に傾斜すると共に前記上面に前後に延在する凹条部が形成された下カバーと、
前記下カバーの凹条部に載置され、人体の局部に向かって洗浄水を噴出する局部洗浄ノズルと、
前記下カバーに取り付けられ、前記下カバーとにより前記局部洗浄ノズルを上下から挟んで該局部洗浄ノズルの外周全体を覆う上カバーと、
前記局部洗浄ノズルに洗浄水を噴出するノズル洗浄器と、
を備え、
前記局部洗浄ノズルは、前記凹条部に沿って前後に進退移動が可能な伸縮しない単段式のノズルであり、
前記上カバーは、開口を有し、
前記ノズル洗浄器は、前記上カバーに取り付けられ、前記上カバーの開口を介して前記局部洗浄ノズルの外周面に洗浄水を噴出可能である、
ノズルユニット。
【請求項２】
請求項１に記載のノズルユニットであって、
モータと、
前記モータにより回転駆動されるピニオンと、
前記ピニオンに噛合されると共に前記局部洗浄ノズルの後端部に一端部が連結され、前記ピニオンの回転に伴って往復動することにより前記局部洗浄ノズルを進退移動させるラックと、
を備え、
前記局部洗浄ノズルは、後端部における幅方向側部にスライダを有し、
前記ラックは、一端部が前記スライダに連結されている、
ノズルユニット。
【請求項３】
請求項２に記載のノズルユニットであって、
前記ラックは、屈曲可能であり、
前記下カバーは、前記凹条部と平行に延在して前記スライダおよび前記ラックの移動をガイドするガイド溝を有する、
ノズルユニット。
【請求項４】
請求項３に記載のノズルユニットであって、
前記スライダは、前記ガイド溝との摺動面に、前記ラックの一端部が嵌め込まれる嵌合凹部を有する、
ノズルユニット。
【請求項５】
請求項２ないし４いずれか１項に記載のノズルユニットであって、
前記モータおよび前記ピニオンは、前記局部洗浄ノズルの後方に配置されている、
ノズルユニット。
【発明の詳細な説明】
【技術分野】
【０００１】
本発明は、衛生洗浄便座装置に用いられるノズルユニットに関する。
【背景技術】
【０００２】
従来より、衛生洗浄便座装置に用いられるノズルユニットとして、人体の局部に洗浄水を噴出するノズルを、ケーシング内に収容したものが知られている。例えば、特許文献１には、ノズル（ノズルコア）を２つのノズルカバー（インナノズルガイド、アウタノズルガイド）内で多段化させて局部洗浄ノズルを長さ方向に小型化したものが開示されている。また、特許文献２には、ノズル上面のみを覆うようにプレート状のカバーを配置したものが開示されている。
【先行技術文献】
【特許文献】
【０００３】
【特許文献１】特開２００６−２４９８６２号公報
【特許文献２】特開２０１６−４４４７４号公報
【発明の概要】
【発明が解決しようとする課題】
【０００４】
特許文献１記載のノズルユニットでは、ノズルが多段化されており、インナノズルガイドがノズルコアを収容し、アウタノズルガイドがインナノズルガイドを収容するように組み付ける必要があるため、組付性が悪い。ところで、近年、ノズルの収容時に、当該ノズルを洗浄するノズル洗浄機能を搭載した衛生洗浄便座装置も提案されている。しかし、特許文献１記載のノズルユニットでは、ノズルが多段化されているため、ノズル洗浄機能を搭載しても、外側のカバーしか洗浄することができない。また、特許文献２記載のノズルユニットは、ノズル上面しかカバーで覆われておらず、ノズル側面が露出しているため、ノズル洗浄機能を搭載してノズルに洗浄水を噴出すると、ケース内で漏水するおそれがある。
【０００５】
本発明のノズルユニットは、組み付けが容易で、かつ、局部洗浄ノズルの洗浄性を向上させたノズルユニットを提供することを主目的とする。
【課題を解決するための手段】
【０００６】
本発明のノズルユニットは、上述の主目的を達成するために以下の手段を採った。
【０００７】
本発明のノズルユニットは、
衛生洗浄便座装置に用いられるノズルユニットであって、
上面が斜め下方に傾斜すると共に前記上面に前後に延在する凹条部が形成された下カバーと、
前記下カバーの凹条部に載置され、人体の局部に向かって洗浄水を噴出する局部洗浄ノズルと、
前記下カバーに取り付けられ、前記下カバーとにより前記局部洗浄ノズルを上下から挟んで該局部洗浄ノズルの外周全体を覆う上カバーと、
前記局部洗浄ノズルに洗浄水を噴出するノズル洗浄器と、
を備え、
前記局部洗浄ノズルは、前記凹条部に沿って前後に進退移動が可能な伸縮しない単段式のノズルであり、
前記上カバーは、開口を有し、
前記ノズル洗浄器は、前記上カバーに取り付けられ、前記上カバーの開口を介して前記局部洗浄ノズルの外周面に洗浄水を噴出可能である、
ことを要旨とする。
【０００８】
この本発明のノズルユニットは、下カバーと、局部洗浄ノズルと、上カバーと、ノズル洗浄器とを備えて構成される。下カバーは、上面に前後に延在し局部洗浄ノズルが載置される凹条部が形成され、上カバーは、下カバーとにより局部洗浄ノズルを上下から挟んで局部洗浄ノズルの外周全体を覆うように、下カバーに取り付けられる。このように、上カバーの組み付けは、局部洗浄ノズルを下カバーの凹条部に載置した後、局部洗浄ノズルを上方から覆うように上カバーを下カバーに取り付ければよいから、その組付性を向上させることができる。また、局部洗浄ノズルは伸縮しない単段式のノズルとして形成され、ノズル洗浄器は、上カバーに取り付けられてその開口を介して局部洗浄ノズルの外周面に洗浄水を噴出可能に構成される。これにより、局部洗浄ノズルの必要な箇所に洗浄水を容易に供給することができ、ノズルの洗浄性を高めることができる。さらに、下カバーは上面が斜め下方に傾斜し、局部洗浄ノズルは、下カバーと上カバーとにより外周全体が覆われている。これにより、局部洗浄ノズルに噴出した洗浄水を凹条部を伝って外部（便鉢）へ容易に排水することができる。これらの結果、組み付けが容易で、かつ、局部洗浄ノズルの洗浄性を向上させたノズルユニットを提供することができる。
【０００９】
こうした本発明のノズルユニットにおいて、モータと、前記モータにより回転駆動されるピニオンと、前記ピニオンに噛合されると共に前記局部洗浄ノズルの後端部に一端部が連結され、前記ピニオンの回転に伴って往復動することにより前記局部洗浄ノズルを進退移動させるラックと、を備え、前記局部洗浄ノズルは、後端部における幅方向側部にスライダを有し、前記ラックは、一端部が前記スライダに連結されているものとしてもよい。こうすれば、ノズルユニットの高さ方向のサイズをよりコンパクトにすることができる。この場合、前記ラックは、屈曲可能であり、前記下カバーは、前記凹条部と平行に延在して前記スライダおよび前記ラックの移動をガイドするガイド溝を有するものとしてもよい。こうすれば、屈曲可能なラックの往復動をスムーズにすると共にラックの脱落を防止することができる。また、ガイド溝を下カバーに形成することで、ユニットをより簡素化し、かつ、その組付性を向上させることができる。さらにこの場合、前記スライダは、前記ガイド溝との摺動面に、前記ラックの一端部が嵌め込まれる嵌合凹部を有するものとしてもよい。こうすれば、スライダの嵌合凹部にラックの一端部を嵌め込むだけで、局部洗浄ノズルとラックとを連結することができ、ユニットの組付性をさらに向上させることができる。また、これらの場合、前記モータおよび前記ピニオンは、前記局部洗浄ノズルの後方に配置されているものとしてもよい。こうすれば、ユニットの高さ方向のサイズを更にコンパクトにすることができる。
【図面の簡単な説明】
【００１０】
【図１】衛生洗浄便座装置１０が取り付けられた便器１の外観図である。
【図２】本実施形態のノズルユニット２０を正面側から見た外観斜視図である。
【図３】ノズルユニット２０の側面図である。
【図４】ノズルユニット２０を背面側から見た外観斜視図である。
【図５】ノズルユニット２０を正面側から見た分解斜視図である。
【図６】ノズルユニット２０を正面側から見た分解斜視図である。
【図７】ノズルユニット２０を背面側から見た分解斜視図である。
【図８】ノズルユニット２０の断面図である。
【図９】ノズルユニット２０の要部を拡大して示す部分拡大図である。
【図１０】変形例のノズルユニット１２０を正面側から見た外観斜視図である。
【図１１】ノズルユニット１２０を正面側から見た分解斜視図である。
【発明を実施するための形態】
【００１１】
本発明を実施するための形態について図面を参照しながら説明する。
【００１２】
図１は衛生洗浄便座装置１０が取り付けられた便器１の外観図であり、図２は本実施形態のノズルユニット２０を正面側から見た外観斜視図であり、図３はノズルユニット２０の側面図であり、図４はノズルユニット２０を背面側から見た外観斜視図であり、図５および図６はノズルユニット２０を正面側から見た分解斜視図であり、図７はノズルユニット２０を背面側から見た分解斜視図である。なお、図２，図５においては、ホース２３，３３の図示を省略し、図４〜図７においては、ノズル駆動ユニット３５の一部の構成（ハウジングカバーやピニオン、モータ等）の図示を省略した。また、図２〜図７中、上下方向は、便器１に設置された衛生洗浄便座装置１０（ノズルユニット２０）の鉛直方向と平行な方向であり、左右方向および前後方向は、互いに直交すると共に、鉛直方向と直交する水平方向と平行な方向である。
【００１３】
便器１は、洋式便器であり、便器１の上面に衛生洗浄便座装置１０が設置されている。衛生洗浄便座装置１０は、図１に示すように、便器１の後方に設置される便座装置本体１１と、便座装置本体１１に回動自在に支持された便座１２と、便座装置本体１１に回動自在に支持された便蓋１３と、使用者により操作される操作パネル１４と、を備える。
【００１４】
便座装置本体１１は、給水管（水道配管）に接続された洗浄水流路、止水弁、熱交換ユニット、洗浄の強さを調整する脈動ポンプ、水を噴出するノズルユニット２０などを備えており、これらは樹脂製のハウジング内に収容されている。熱交換ユニットは、ヒータや温度センサが設けられ、給水管からの水をヒータによって温水にする。
【００１５】
ノズルユニット２０は、図２〜図７に示すように、２つの局部洗浄ノズル２１，３１と、局部洗浄ノズル２１，３１の外周全体を覆うノズルカバー４０と、局部洗浄ノズル２１，３１をそれぞれノズルカバー４０から前方へ露出した洗浄位置とノズルカバー４０内に収容された収容位置との間で進退移動させるノズル駆動ユニット２５，３５と、局部洗浄ノズル２１，３１の外周面に水を噴出してノズル洗浄を行なうノズル洗浄器５５と、切替バルブ５１と、を備える。
【００１６】
ノズルカバー４０は、下カバー４１と、上カバー４５と、により構成されている。下カバー４１は、図５に示すように、上面が斜め下方に傾斜しており、上面には、前後方向に延在するノズル載置部としての２つの凹条部４２が幅方向（左右方向）に並んで設けられている。各凹条部４２には、局部洗浄ノズル２１，３１がそれぞれ載置される。また、下カバー４１は、図５〜図７に示すように、２つの凹条部４２の幅方向（左右方向）外側に、凹条部４２と同方向に延在するガイド溝４３を有する。上カバー４５は、図５〜図７に示すように、その幅方向両側縁に複数の係合爪４６を有しており、複数の係合爪４６が下カバー４１の対向する位置に設けられた複数の係合溝４４と係合することにより、下カバー４１に取り付けられる。これにより、局部洗浄ノズル２１，３１は、下カバー４１と上カバー４５とにより上下から挟まれて外周全体が覆われる。また、上カバー４５は、図６，図７に示すように、幅方向中央の前端部に、矩形状の開口４７を有する。
【００１７】
局部洗浄ノズル２１，３１は、伸縮しない単段式のノズルであり、本実施形態では、おしり用洗浄ノズルと、ビデ用洗浄ノズルと、により構成される。局部洗浄ノズル２１，３１の後端面には、図７に示すように、それぞれ屈曲可能なホース２３，３３の一端が接続されており、ホース２３，３３の他端には切替バルブ５１が接続されている。ホース２３，３３は、本実施形態では、それぞれ２本ずつ設けられ、一方のホースは、洗浄強さが強いパワフル洗浄用のホースとして用いられ、他方のホースは、洗浄強さが弱いマイルド洗浄用のホースとして用いられる。また、局部洗浄ノズル２１，３１は、図６，図７に示すように、その後端部外周における左右方向（幅方向）側部に、ガイド溝４３に嵌合し、ガイド溝４３に沿って前後に移動可能なスライダ２２，３２を有する。局部洗浄ノズル２１，３１は、スライダ２２，３２の移動に伴って前後に進退移動が可能となっている。
【００１８】
ノズル駆動ユニット２５，３５は、局部洗浄ノズル２１，３１の後方に配置されている。ノズル駆動ユニット２５は、図５〜図７に示すように、ラック２６と、ラック２６に噛合されるピニオン２７と、ピニオン２７を収容すると共に回転自在に支持するピニオンハウジング２８と、モータケースがピニオンハウジング２８に固定されピニオン２７を回転駆動するモータ２９と、を備える。ノズル駆動ユニット２５は、モータ２９によりピニオン２７を回転駆動することにより、ラック２６を往復動させる。ラック２６には、局部洗浄ノズル２１が連結されており、ラック２６を往復動させることにより、局部洗浄ノズル２１を進退移動させることができる。
【００１９】
ラック２６は、屈曲可能な帯状の部材（フレキシブルラック）であり、その一端部は、局部洗浄ユニット２１のスライダ２２に連結されている。図８はノズルユニット２０の断面図であり、図９はノズルユニット２０の要部を拡大して示す部分拡大図である。なお、図８の断面図は、ガイド溝４３をその延在方向に沿って切った断面を示すものである。図示するように、ラック２６は、その一端部に、厚肉部と薄肉部とが長さ方向に交互に設けられた嵌め込み部２６ｅを有し、スライダ２２は、ガイド溝４３の側壁との摺動面に、嵌め込み部２６ｅが嵌め込まれる嵌め込み凹部２２ｃを有している。スライダ２２へのラック２６の連結は、嵌め込み凹部３２ｃに嵌め込み部３６ｅを嵌め込み、この状態でスライダ３２をガイド溝４３に挿入することにより行なわれる。これにより、ねじ等の締結具を必要とすることなしに、ラック２６の一端部をスライダ３２に連結することができる。また、ラック２６の左右方向における幅は、図６に示すように、スライダ２２と略同一に又はスライダ２２よりも若干狭くなるように形成されている。ラック２６は、ガイド溝４３によってスライダ２２と共に脱落しないようにガイドされる。
【００２０】
ピニオンハウジング２８は、図５〜図７に示すように、下カバー４１に固定（一体化）されたハウジングベース２８ａと、ハウジングベース２８ａの開口部を覆うハウジングカバー２８ｃと、により構成される。ハウジングベース２８ａは、ピニオン２７の外周面と所定の隙間を隔てて円弧状に湾曲した内周面２８ｂを有し、ラック２６は、ピニオン２７の回転に伴ってハウジングベース２８ａの内周面２８ｂに沿って屈曲しながら上記隙間内を往復動可能となっている。ハウジングカバー２８ｃは、図６に示すように、端縁部から直交方向内側（図中、左側）に延出され、内面の一部がハウジングベース２８ａの内周面２８ｂと繋がってラック２６の往復動をガイドすると共に外面がホース３３に掛けられる延出部２８ｄを有する。
【００２１】
ノズル駆動ユニット３５は、図６に示すように、ノズル駆動ユニット２５と同様のラック３６、ピニオン（図示せず）、ピニオンハウジング３８およびモータ（図示せず）により構成され、各構成は、ノズル駆動ユニット２５の各構成と左右対称となるように形成されている。なお、ノズル駆動ユニット３５の各構成の説明は、ノズル駆動ユニット２５の各構成の説明と重複するから省略する。
【００２２】
ノズル洗浄器５５は、図５〜図７に示すように、上カバー４５の開口４７に取り付けられ、開口４７を介して局部洗浄ノズル２１，３１の外周面（上面）に洗浄水を噴出する。ノズル洗浄器５５には、ホース（図示せず）の一端が接続され、当該ホースの他端には、切替バルブ５１が接続されている。
【００２３】
切替バルブ５１は、脈動ポンプよりも下流の洗浄水流路の洗浄水の供給先を２つの局部洗浄ノズル２１，３１とノズル洗浄器５５のいずれから噴出させるかを切り替えるものであり、本実施形態では、モータ５２により駆動されるロータリバルブとして構成される。
【００２４】
ノズルユニット２０の組み付け工程は、ノズル駆動ユニット２５，３５の組み付け工程と、局部洗浄ノズル２１，３１の組み付け工程と、カバー４０およびノズル洗浄器５５の組み付け工程とからなる。ノズル駆動ユニット２５の組み付け工程は、モータ２９の回転軸がハウジングカバー２８ｂの貫通孔を貫通するようハウジングカバー２８ｂにモータケースを取り付けた後、モータ２９の回転軸にピニオン２７を取り付け、当該ハウジングカバー２８ｂを下カバー４１に固定（一体化）されたハウジングベース２８ａに取り付けることにより行なうことができる。ノズル駆動ユニット３５の組み付け工程も、ノズル駆動ユニット２５の組み付け工程と同様に行なうことができる。局部洗浄ノズル２１の組み付け工程は、スライダ２２の嵌め込み凹部２２ｃにラック２６の一端部（嵌め込み部２６ｅ）を嵌め込み、局部洗浄ノズル２１を下カバー４１の凹条部４２に載置すると共にスライダ２２を下カバー４１のガイド溝４３に挿入し、ラック２６の他端部をノズル駆動ユニット２５のピニオン２７の外周面とピニオンハウジング２８の内周面２８ｂとの間の隙間に挿入して、ラック２６とピニオン２７とを噛み合わせ、局部洗浄ノズル２１の後端部と切替バルブ５１とにホース２３を接続することにより行なうことができる。なお、局部洗浄ノズル３１の組み付け工程も、局部洗浄ノズル２１の組み付け工程と同様に行なうことができる。カバー４０およびノズル洗浄器５５の組み付け工程は、局部洗浄ノズル２１，３１が組み付けられた状態で、上カバー４５の複数の係合爪４６を下カバー４１の対向する複数の係合溝４４と係合させて上カバー４５を下カバー４１に取り付けると共に、上カバー４５の開口４７にノズル洗浄器５５を取り付け、ノズル洗浄器５５と切替バルブ５１とにホースを接続することにより行なわれる。なお、上述したノズルユニット２０の組み付け工程の手順は、一例であり、これに限定されるものではない。
【００２５】
また、便座装置本体１１は、衛生洗浄便座装置１０を制御する図示しない制御装置を備える。制御装置は、操作パネル１４や着座センサ１５（図１参照）、水タンクの温度センサなどからの信号に基づいて、水タンクのヒータや脈動ポンプ、ノズルユニット２０（切替バルブ５１のモータ５２、ノズル駆動ユニット２５，３５のモータ２９）を制御する。操作パネル１４には、図示しないが、おしり洗浄を指示するおしり用洗浄スイッチやビデ洗浄を指示するビデ用洗浄スイッチ、洗浄の強さを調整するための洗浄強さ調整スイッチ、洗浄の停止を指示する停止スイッチなどが設けられている。
【００２６】
次に、こうして構成された本実施形態の衛生洗浄便座装置１０（ノズルユニット２０）の動作について説明する。衛生洗浄便座装置１０の制御装置は、着座センサ１５により使用者が便座１２に着座していると判定し、かつ、操作パネル１４のおしり用洗浄スイッチが押下されたと判定すると、モータ２９によりピニオン２７を正回転させて、ピニオン２７に噛合するラック２６の一端部を前方へ送り出す。これにより、ラック２６に連結された局部洗浄ノズル２１（おしり用洗浄ノズル）は、洗浄位置に向かって前方へ移動する。上述したように、ラック２６は、ピニオン２７の正回転に伴い前方へ押し出されると、スライダ２２と共にガイド溝４３にガイドされ、その脱落が防止される。そして、制御装置は、局部洗浄ノズル２１の噴出孔に脈動ポンプからの洗浄水が供給されるよう切替バルブ５２（モータ５１）を制御する。これにより、局部洗浄ノズル２１の噴出孔から人体の肛門部に向かって洗浄水が噴出され、おしり洗浄が開始される。制御装置は、操作パネル１４の停止スイッチが押下されて、おしり洗浄の停止が指示されると、局部洗浄ノズル２１（おしり用洗浄ノズル）への給水を停止する。そして、モータ２９によりピニオン２７を逆回転させて、ピニオン２７に噛合するラック２６の一端部を後方（ピニオンハウジング２８内）へ引き込む。これにより、ラック２６に連結された局部洗浄ノズル２１（おしり用洗浄ノズル）は、収容位置に向かって後方へ移動し、ノズルカバー４０（下カバー４１および上カバー４５）内に収容される。次に、制御装置は、上カバー４５に設けられたノズル洗浄器５５の噴出孔に脈動ポンプからの洗浄水が供給されるよう切替バルブ５２（モータ５１）を制御する。ノズル洗浄器５５から噴出された洗浄水は上カバー４５の開口部４７を介して局部洗浄ノズル２１，３１の外周面（上面）へ供給され、局部洗浄ノズル２１，３１が洗浄される。上述したように、局部洗浄ノズル２１，３１は、伸縮しない単段式のノズルとして構成され、ノズル洗浄器５５から噴出された洗浄水が局部洗浄ノズル２１，３１の先端部（噴出孔）に直接供給されるから、局部洗浄ノズル２１，３１の先端部付近を良好に洗浄することができる。また、局部洗浄ノズル２１，３１は、外周全体が下カバー４１と上カバー４５とにより覆われており、局部洗浄ノズル２１，３１が載置される下カバー４１の凹条部４２は、斜め下方に傾斜している。このため、ノズル洗浄器５５の噴出孔から噴出された洗浄水は、局部洗浄ノズル２１，３１の外周面を洗浄した後、凹条部４２に至り、凹条部４２に沿って便器１の便鉢２内へ排出されることになる。このとき、局部洗浄ノズル２１，３１はノズルカバー４０によって外周全体が覆われているため、洗浄水の漏水が防止される。
【００２７】
以上説明した実施形態のノズルユニット２０では、下カバー４１は、上面に前後に延在し局部洗浄ノズル２１，３１が載置される凹条部４２が形成され、上カバー４５は、下カバー４１とより局部洗浄ノズル２１，３１を上下から挟んで局部洗浄ノズル２１，３１の外周全体を覆うように、下カバー４１に取り付けられる。このように、上カバー４５の組み付けは、局部洗浄ノズル２１，３１を下カバー４１の凹条部４２に載置した後、局部洗浄ノズル２１，３１を上方から覆うように上カバー４５を下カバー４１に取り付ければよいから、その組付性を向上させることができる。また、局部洗浄ノズル２１，３１は伸縮しない単段式のノズルとして形成され、ノズル洗浄器５５は、上カバー４５に取り付けられてその開口４７を介して局部洗浄ノズル２１，３１の外周面に洗浄水を噴出可能に構成される。これにより、局部洗浄ノズル２１，３１の必要な箇所に洗浄水を容易に供給することができ、ノズルの洗浄性を高めることができる。さらに、下カバー４１は上面が斜め下方に傾斜し、局部洗浄ノズル２１，３１は、下カバー４１と上カバー４５とにより外周全体が覆われている。これにより、局部洗浄ノズル２１，３１に噴出した洗浄水を凹条部４２を伝って便鉢２内へ容易に排水することができる。これらの結果、組み付けが容易で、かつ、局部洗浄ノズルの洗浄性を向上させたノズルユニットを提供することができる。
【００２８】
また、実施形態のノズルユニット２０は、局部洗浄ノズル２１，３１にラック２６，３６の一端部を連結し、ラック２６，３６と噛合するピニオンを回転駆動して局部洗浄ノズル２１，３１を進退移動させるノズル駆動ユニット２５，３５を備え、局部洗浄ノズル２１，３１の後端部における幅方向側部にスライダ２２，３２を設け、ラック２６，３６の一端部をスライダ２２，３２に連結する。これにより、ノズルユニット２０の高さ方向のサイズをよりコンパクトにすることができる。また、下カバー４１に、凹条部４２と平行に延在してスライダ２２，３２と共にラック２６，３６の移動をガイドするガイド溝４３を備えるから、屈曲可能なラック２６，３６の往復動をスムーズにすると共にラック２６，３６の脱落を防止することができる。また、ガイド溝４３を下カバー４１に形成することで、ノズルユニット２０をより簡素化し、かつ、その組付性を向上させることができる。さらに、スライダ２２，３２は、ガイド溝４３との摺動面に、ラック２６，３６の一端部（嵌め込み部２６ｅ）が嵌め込まれる嵌め込み凹部（嵌め込み凹部４３ｃ）を有するから、嵌め込み凹部にラックの一端部を嵌め込むだけで、局部洗浄ノズル２１，３１とラック２６，３６とを連結することができ、ノズルユニット１０の組付性をさらに向上させることができる。また、モータやピニオンは、局部洗浄ノズル２１，３１の後方に配置されているから、ノズルユニット２０の高さ方向のサイズを更にコンパクトにすることができる。
【００２９】
実施形態では、上カバー４５の幅方向中央の前端部に開口４７を形成し、この開口４７にノズル洗浄器５５を取り付けるものとしたが、これに限定されるものではない。例えば、図１０，図１１の変形例のノズルユニット１２０に示すように、上カバー１４５の幅方向中央の後端部に開口１４７を形成し、この開口１４７にノズル洗浄器１５５を取り付けてもよい。また、上カバーの中央部に開口を形成し、この開口にノズル洗浄器を取り付けてもよい。
【００３０】
実施形態では、局部洗浄ノズル２１，３１（スライダ２２，３２）とラック２６，３６とを、スライダ２２，３２のガイド溝４３との摺動面に形成された嵌め込み凹部にラックの一端部（嵌め込み部）を嵌め込むことにより連結したが、これに限定されるものではなく、締結具や接着などにより連結してもよい。
【００３１】
実施形態では、ラック２６，３６は、ピニオンハウジング２８，３８内で屈曲するようにフレキシブルラックとして構成するものとしたが、これに限定されるものではなく、屈曲不能に形成されてもよい。
【００３２】
実施形態の主要な要素と課題を解決するための手段の欄に記載した発明の主要な要素との対応関係について説明する。実施形態では、凹条部４２が「凹条部」に相当し、下カバー４１が「下カバー」に相当し、局部洗浄ノズル２１，３１（おしり用洗浄ノズル、ビデ用洗浄ノズル）が「局部洗浄ノズル」に相当し、上カバー４５が「上カバー」に相当し、開口４７が「開口」に相当し、ノズル洗浄器５５が「ノズル洗浄器」に相当する。また、モータ２９が「モータ」に相当し、ピニオン２７が「ピニオン」に相当し、ラック２６，３６が「ラック」に相当し、スライダ２２，３２が「スライダ」に相当する。また、ガイド溝４３が「ガイド溝」に相当する。また、嵌め込み凹部２２ｃが「嵌合凹部」に相当する。
【００３３】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００３４】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００３５】
本発明は、衛生洗浄便座装置の製造産業などに利用可能である。
【符号の説明】
【００３６】
１  便器、２  便鉢、１０  衛生洗浄便座装置、１１  便座装置本体、１２  便座、１３  便蓋、１４  操作パネル、１５  着座センサ、２０，１２０  ノズルユニット、２１，３１  局部洗浄ノズル、２２，３２  スライダ、２３，３３  ホース、２５，３５  ノズル駆動ユニット、２６，３６  ラック、２７  ピニオン、２８，３８  ピニオンハウジング、２８ａ  ハウジングベース、２８ｂ  内周面、２８ｃ  ハウジングカバー、２８ｄ  延出部、２９  モータ、４０  ノズルカバー、４１  下カバー、４２  凹条部、４３  ガイド溝、４４  係合溝、４５，１４５  上カバー、４６  係合爪、４７，１４７  開口、５１  切替バルブ、５２  モータ、５５，１５５  ノズル洗浄器。
【図１】
2019027008.tif 000003
【図２】
2019027008.tif 000004
【図３】
2019027008.tif 000005
【図４】
2019027008.tif 000006
【図５】
2019027008.tif 000007
【図６】
2019027008.tif 000008
【図７】
2019027008.tif 000009
【図８】
2019027008.tif 000010
【図９】
2019027008.tif 000011
【図１０】
2019027008.tif 000012
【図１１】
2019027008.tif 000013